(57)【要約】【課題】各対のよりを戻した場合に、各対の２本の心線の長さが異なってしまい、漏話減衰量特性が劣化し易い。又、プラグハウジング製品毎の対のより戻し長が不均一になり、反射減衰量特性が劣化し易い構造。【解決手段】セパレータハウジングに絶縁心線を装着したケーブル端末をプラグハウジングに嵌合させたモジュラプラグにおいて、セパレータハウジングに３箇所の離隔用孔を一列に形成し、かつ、その中央上部に１箇所の離隔用溝を配置し、その中央に形成された離隔用孔と溝の前方に、対より心線のよりを戻して配列する為のスペースを設けた構造であるので、１．各対の２本の心線の心線長が常に同一。２．中央上部の２本の心線は、他の６本の心線と常に一定の角度（ほぼ４５度）を持って配列。３．中央上部の２本の心線は、他の６本の心線と、常にセパレータハウジングの前方の定位置で整列する高速ＬＡＮ用モジュラプラグ。【選択図】　　　　図１
2004063159.tif 000002
【特許請求の範囲】
【請求項１】
セパレータハウジングに３箇所の離隔用孔を一列に形成し、かつ、その中央上部に１箇所の離隔用溝を配置し、セパレータハウジングの後方から４条の対より心線を前記離隔用孔と離隔用溝に装着した後、４条の対より心線のよりを戻して、８本の絶縁心線を、前記離隔用孔の水平前方方向に一列に整列して並行整列部を形成し、その並行整列部を先端側にしたケーブル端末をプラグハウジングの開口部へ挿入した後、金属接触端子を圧入して導通を得るモジュラプラグにおいて、４条の対より心線のより戻し開始位置がセパレータハウジングの前端面で常に一定になり、かつ、よりを戻した２本の心線は、対より心線の中心線上に対してそれぞれ左右対称に配列される為、各対を構成する２本の心線の長さが同一であることを特徴とするモジュラプラグ。
【請求項２】
請求項１において、中央に位置する離隔用孔と中央上部に形成された離隔用溝の前方に、対より心線のよりを戻して配列する為のスペースを設けたことを特徴とするモジュラプラグ。
【発明の詳細な説明】
【０００１】
【発明が属する技術分野】
本発明は、セパレータハウジングに絶縁心線を装着したケーブル端末をプラグハウジングに嵌合させたモジュラプラグに関し、特に、ＬＡＮ等に使用される高速伝送特性を有するモジュラプラグで、漏話減衰量（クロストーク）特性の安定化と反射減衰量（リターンロス）特性の劣化防止をはかり、絶縁心線の結線作業性の向上だけでなく、ＬＡＮ用コネクタに使用することにより、誰にでも容易に安定した性能を維持することを可能にするモジュラプラグに関する。
【０００２】
【従来の技術】
従来のモジュラプラグ１′は、図３に示すように導電性を有する金属接触端子１２′を装備したプラグハウジング２′と絶縁心線６′を１列に整列させる心線整列部品１４′から構成されている。対より心線１１′のよりを戻して、各心線を並行状に仮整列して心線整列部品１４′に挿入し、整列が崩れないように固定した後、プラグハウジング２′の開口部３′へ挿入して接続させる。心線配列作業を容易にする為には、各対より心線を１列に整列させることが必要であった。ＬＡＮ用プラグにおいては、心線の配列が規定されており、対より心線のよりを戻した場合、対よりを構成する２本の心線の長さが一定とならず、漏話減衰量を均一化させることが困難であった。
【０００３】
【発明が解決しようとする課題】
このように従来構造は、図２に示すように、絶縁心線６′の各対のよりを戻した場合、各対の２本の心線の長さが異なってしまう。これにより、対の平衡度が悪化し、漏話減衰量特性が劣化してしまうという欠点があった。又、対よりの戻し位置が一定でない為、漏話減衰量の低減化には構造的に限界があった。一方、プラグハウジング製品毎の対のより戻し長が不均一になる為、各対より心線の配置がケーブルと同一に維持することが出来ない為、各対のインピーダンスが変化することによって、反射減衰量特性が劣化し易い構造であった。
【０００４】
【課題を解決する為の手段】
本発明は、これらの問題を解決する為に、鋭意検討した結果、第１としては、セパレータハウジングに３箇所の離隔用孔を一列に形成し、かつ、その中央上部に１箇所の離隔用溝を配置し、セパレータハウジングの後方から４条の対より心線を前記離隔用孔と離隔用溝に装着した後、４条の対より心線のよりを戻して、８本の絶縁心線を、前記離隔用孔の水平前方方向に一列に整列して並行整列部を形成し、その並行整列部を先端側にしたケーブル端末をプラグハウジングの開口部へ挿入した後、金属接触端子を圧入して導通を得るモジュラプラグにおいて、４条の対より心線のより戻し開始位置がセパレータハウジングの前端面で常に一定になり、かつ、よりを戻した２本の心線は、対より心線の中心線上に対してそれぞれ左右対称に配列される為、各対を構成する２本の心線の長さが同一であるモジュラプラグで、第２としては、第１の中央に位置する離隔用孔と中央上部に形成された離隔用溝の前方に、対より心線のよりを戻して配列する為のスペースを設けたモジュラプラグである。
【０００５】
【発明の実施の形態】
【発明の実施形態】
本発明のモジュラプラグ１について具体的に説明する。
【０００６】
図１（イ）は、本発明のセパレータハウジング４の斜視図と対より心線１１がセパレータハウジング４に装着されたケーブル端末５の拡大図と斜視図で、図１（ロ）は、本発明の対より心線１１が、セパレータハウジング４に装着されたケーブル端末５をプラグハウジング２の開口部３へ挿入した後の状態をモジュラプラグ１の側面からみた断面図である。この図から明らかなように、第１としては、セパレータハウジング４に３箇所の離隔用孔７を一列に形成し、かつ、その中央上部に１箇所の離隔用溝８を配置し、セパレータハウジング４の後方から４条の対より心線１１を前記離隔用孔７と離隔用溝８に装着した後、４条の対より心線１１のよりを戻して、８本の絶縁心線６を、前記離隔用孔７の水平方向に一列に整列して並行整列部Ｂを形成し、その並行整列部Ｂを先端側にしたケーブル端末５をプラグハウジング２の開口部３へ挿入した後、金属接触端子１２を圧入して導通を得るモジュラプラグにおいて、４条の対より心線１１のより戻し開始位置がセパレータハウジングの前端面で常に一定になり、かつ、よりを戻した２本の心線は、対より心線１１の中心線上に対してそれぞれ左右対称に配列される為、各対を構成する２本線の長さが同一であるモジュラプラグ１である。（スペース９がない場合は、図示せず）第２としては、第１の中央に位置する離隔用孔７と中央上部に形成された離隔用溝８の前方に、対より心線１１のよりを戻して配列する為のスペース９を設けたモジュラプラグ１である。ここで、中央に位置する離隔用孔７と中央上部に形成された離隔用溝８の前方に、対より心線１１のよりを戻して配列する為のスペース９を設けた構造てあるので、
１．４条の対より心線１１のより戻し開始位置がセパレータハウジング４の前端面で常に一定になり、かつ、よりを戻した２本の心線は、対より心線の中心線上に対してそれぞれ左右対称に配列される為、各対を構成する２本の心線の長さが常に同一。（図１の拡大平面図と図２参照）
２．中央上部から下がってくる２本の心線は、他の６本の心線と常に一定の角度（ほぼ４５度）を持って配列される。
３．中央上部の２本の心線は、他の６本の心線と、常にセパレータハウジングの前方の定位置で整列される。
又、１列に配置された３個所の離隔用孔７は、溝形状より孔形状の方がより戻し位置が保持される点で好ましい結果を示した。この孔形状は、対より心線１１の外径に合わせた筒状の孔形状で構成するのが好ましい。対より心線１１毎に離隔した後、よりを戻した各心線は、セパレータハウジングの前端面で１列に整列される為、３個所の孔は、１列に並んだ配置が、心線配列の作業上、効率的であり、好ましい結果を示した。この場合、孔形状の方が好ましい結果を示したが溝形状でも可能である。又、上部の離隔用溝８は、その溝に配置、保持させる対より心線１１のよりを戻す作業を容易にする為、孔形状より溝形状の方が好ましい結果を示したが、孔形状でも可能である。
次に、本発明のモジュラープラグ１への結線方法について、具体的実施例を挙げて下記に説明する。
１．心線毎に色付けされた４条の対より心線１１からなるケーブルのシース（図示せず）を剥き、対より心線１１を取り出し、各対より心線１１を１列に配置された３個所の孔７及びその中央上部に配置された１個所の溝８に各々挿入して保持させる。
２．前記の各孔７及び溝８で離隔された各対より心線１１をケーブルのシース端がセパレータハウジング４の後端面に突き当たる迄引張って位置決めし、セパレータハウジング４の前端面を基準に各対より心線１１のよりを戻す。
３．前記３個所の孔７で保持され、よりを戻した６本の心線を、決められた順（例えば、図２の１２，４５，７８）に１列の並行状に仮整列する。
４．前記中央上部の溝８で保持され、スペース９の部分で対より心線１１のよりを戻すので、先に水平方向に配列された他の６本の心線に対して常に一定の角度（ほぼ４５度）を持って配線されると同時に他の６本の心線間の決められた位置（例えば、図２の３６）に配列され、かつ、常にセパレータハウジングの前方の定位置で整列されることになる。
５．１列の並行状に整列された絶縁心線６の端末を決められた長さに切断し、導電性を有する金属接続端子１２を装備したプラグハウジング２の心線誘導機能を有するプラグハウジング２の内壁面に沿わせるように心線挿入部に挿入する。
６．この時、各対より心線１１を離隔し、位置決めされたセパレータハウジング４は、ケーブルシース端にその後端面を突き当てて位置決めされているので、セパレータハウジング４の後端面に突き当てたケーブルシースでセパレータハウジング４を押すことにより、導電性を有する金属接続端子１２を装備したプラグハウジング２の心線挿入部に容易に挿入することが出来る。
７．プラグハウジング２の心線挿入部に心線を挿入後、各心線の上部に位置されている金属接続端子１２を各心線に圧入させて結線が完了する。
以上のような構造である為、本発明のセパレータハウジング４は、下記の効果を有する。
１．セパレータハウジング４により、セパレータハウジング４の前端面まで対より心線１１の配置がケーブルと同一に維持されるため、対より心線１１の配列の乱れによるインピーダンスの変動が最小限に抑えられ、反射減衰量の劣化を防止することが出来る。
２．セパレータハウジング４を使用することによって、対より心線１１の距離を離隔すると同時に、配置を均一に出来るため、対より心線１１間の漏話減衰量を均一に抑えられる。又、対のより戻し位置をセパレータハウジングの前端面で揃えられるため、対のより戻し長を容易に一定にすることが出来、漏話減衰量を安定化させることが出来る。
３．セパレータハウジング４の離隔用孔７又は溝８の配置により、各対より心線１１は、各々中心線上に対して左右対称に配置され、各対の２本の心線の長さを同一とすることが出来、心線の長さの差により生じる平衡度の劣化を抑え、漏話減衰量を低減させることが出来る。
【０００７】
今迄、ほぼ四角状のセパレータハウジングを代表例に取り説明したが、セパレータハウジングの形状やプラグハウジングの形状や金属接触端子の形状等この形状に限らず、設計変更に伴う多少の変形例でも一向に構わず、本発明の範囲内であることはいうまでもない。
【０００８】
【発明の効果】
以上の説明の様に、本発明のモジュラプラグ１によれば、
１．漏話減衰量特性の安定化がはかれる。
２．反射減衰量特性の劣化防止がはかれる。
３．絶縁心線の結線作業性の向上をはかれる。
４．ＬＡＮ等の高速伝送のコネクタ製品に使用した場合、誰でも容易に安定した性能を維持させることが出来ので、その工業的価値は非常に大きい。
【図面の簡単な説明】
【図１】（イ）本発明のセパレータハウジング４の斜視図と対より心線１１がセパレータハウジング４に装着されたケーブル端末５の拡大図と斜視図である。（ロ）本発明の対より心線１１がセパレータハウジング４に装着されたケーブル端末５をプラグハウジング２の開口部３へ挿入した後の状態をモジュラプラグ１の側面からみた断面図である。
【図２】本発明と従来の絶縁心線の配列構造の比較説明図である。
【図３】従来の心線整列部品１４′の斜視図並びに対より心線１１′を心線整列部品１４′に装着した状態の斜視図と断面図並びに従来のモジュラプラグ１′の側面からみた断面図である。
【符号の説明】
１　　　本発明のモジュラプラグ
２　　　プラグハウジング
３　　　開口部
４　　　セパレータハウジング
５　　　ケーブル端末
６　　　絶縁心線
７　　　離隔用孔
８　　　離隔用溝
９　　　スペース
１０　　　側壁
１１　　　　　　対より心線
１２　　　　　　金属接触端子
１３　　　　　　レバー
Ａ　　　対より部
Ｂ　　　並行整列部
１′　　従来のモジュラプラグ
２′　　プラグハウジング
３′　　開口部
６′　　絶縁心線
１１′　　対より心線
１２′　　金属接触端子
１３′　　レバー
１４′　　心線整列部品
１５′　　絶縁心線挿入孔
【図１】
2004063159.tif 000003
【図２】
2004063159.tif 000004
【図３】
2004063159.tif 000005